(57)【特許請求の範囲】
【請求項１】
ボーリングバーの先端に取り付けられ、工具本体と被加工材における加工済みの深孔との隙間から供給した切削油を切削屑と共に前記工具本体およびボーリンクバーの内部を通過して後端側に排出する深孔加工用先端工具であって、
全体が円柱形状を呈する工具本体と、
上記工具本体の先端面に取り付けられた切刃と、
上記工具本体の先端面の周辺と該工具本体の円周面との間にわたって配置された第１〜第４ガイドパッドとを含み、
上記工具本体の先端面の回転中心から上記切刃の刃面を通過する仮想の径線の位置を０度とした際に、該切刃の切削力を受ける向きにおいて、９０度±１０度回転した位置に上記第１ガイドパッドを、１８０度±１０度回転した位置に上記第２ガイドパッドを、２２０度±１０度回転した位置に上記第３ガイドパッドを、２７０度±１０度回転した位置に上記第４ガイドパッドを配置してなる、
ことを特徴とする深孔加工用先端工具。
【請求項２】
前記第３ガイドパッドは、前記工具本体の先端面の回転中心から前記切刃の位置を０度とした際に、該切刃の切削力を受ける向きにおいて、２２１〜２３０度回転した位置に配置されている、
ことを特徴とする請求項１に記載の深孔加工用先端工具。
【請求項３】
前記工具本体の先端面には、前記切刃を除いた位置に、前記切削油および切削屑を排出するための貫通孔に連通する単数あるいは複数の開口部が位置している、
ことを特徴とする請求項１または２に記載の深孔加工用先端工具。
【請求項４】
前記切刃は、前記工具本体の先端面の回転中心を含む中央側チップと、前記先端面の周辺から一部が外側に突出する外周側チップと、該外周側チップとは上記先端面の回転中心を挟んだ反対側の中間位置に配置され且つ上記各チップと前記径線に沿って直線状に配置された中間チップとから構成されている、
ことを特徴とする請求項１乃至３の何れか一項に記載の深孔加工用先端工具。
【発明の詳細な説明】
【技術分野】
【０００１】
本発明は、例えば、石油などの掘削に用いるボーリングバーの先端に取り付けられ、工具本体と被加工材における加工済みの深孔との隙間から供給した切削油を切削屑と共に前記工具本体およびボーリンクバーの内部を通過して後端側に排出する深孔加工用先端工具（ボーリンクヘッド）に関する。
【背景技術】
【０００２】
前記のような深孔加工用先端工具を用いる所謂ＢＴＡ方式による深孔加工を精度良く行うため、かかる工具の先端面において、該先端面に設ける刃部の切削力を受ける向きにおいて、９０度置きごとに３個のガイドパットを等間隔に配置した深孔加工工具が提案されている（例えば、特許文献１参照）。
しかし、上記特許文献１に記載の深孔加工工具では、深孔加工中に該加工工具やボーリングバーが不安定な振動を生じ、その結果、被加工材の切削量が変動し、且つ刃部やガイドパッドと被加工材との接触力の変動などを来すことにより、形成される深孔の断面が三角形状ないし五角形状になる場合が多々あった。
【０００３】
更に、特許文献１に記載の前記深孔加工工具による問題点を解決するため、前記先端工具の先端面側に配置する３個のガイド部の位置を、当該先端工具の先端面の回転中心に対する刃部の切れ刃の位置を０とした際に、係る刃部の切削力を受ける向きに９０度±１０度回転した位置に第１のガイド部を、１８０度±１０度回転した位置に第２のガイド部を、１８１度〜２２０度回転した位置に第３のガイド部を配置するようにした深孔加工用先端工具のガイド部配置構造およびガイド部配置方法が提案されている（例えば、特許文献２参照）。
特許文献２に記載の前記深孔加工用先端工具のガイド部配置構造によれば、深孔加工中に該先端工具やボーリングバーによる不安定な振動を若干は低減されるが、形成される深孔の断面が三角形状ないし五角形状になり得る場合もあった。
【先行技術文献】
【特許文献】
【０００４】
【特許文献１】実開平５−５３８１２号公報（第１〜３頁、図１〜７）
【特許文献２】特許第４９５１７８８号公報（第１〜２４頁、図１〜１３）
【発明の概要】
【発明が解決しようとする課題】
【０００５】
本発明は、背景技術で説明した問題点を解決し、深孔加工中に本先端工具やボーリングバーによる不安定な振動を格段に低減でき、且つ被加工材に形成される深孔の断面を真円形に確実に近似させられる深孔加工用先端工具を提供する、ことを課題とする。
【課題を解決するための手段および発明の効果】
【０００６】
本発明は、前記課題を解決するため、前記先端工具の先端面側に４個のガイドパッドをそれぞれ適正な位置に配置する、ことに着想して成されたものである。
即ち、本発明の深孔加工用先端工具（請求項１）は、ボーリングバーの先端に取り付けられ、工具本体と被加工材における加工済みの深孔との隙間から供給した切削油を切削屑と共に前記工具本体およびボーリンクバーの内部を通過して後端側に排出する深孔加工用先端工具であって、全体が円柱形状を呈する工具本体と、該工具本体の先端面に取り付けられた切刃と、前記工具本体の先端面の周辺と該工具本体の円周面との間にわたって配置された第１〜第４ガイドパッドとを含み、上記工具本体の先端面の回転中心から上記切刃の刃面を通過する仮想の径線の位置を０度とした際に、該切刃の切削力を受ける向きにおいて、９０度±１０度回転した位置に上記第１ガイドパッドを、１８０度±１０度回転した位置に上記第２ガイドパッドを、２２０度±１０度回転した位置に上記第３ガイドパッドを、２７０度±１０度回転した位置に上記第４ガイドパッドを配置してなる、ことを特徴とする。
【０００７】
これによれば、前記第１，第２，第４ガイドパッドが先端面の回転中心から上記切刃の刃面を通過する仮想の径線の位置を０度とした際に、該切刃の切削力を受ける向きに約９０度ずつ順次離れた位置に配置し、且つ第３ガイドパッドが約２２０度離れた位置に配置することで、以下の効果（１）〜（４）を奏することが可能となる。
（１）深孔加工中において、第１〜第３ガイドパッドが加工済みの深孔の内壁面に接触して外側向きの力を受けても、第４ガイドパッドが回転中心向きの力を受けるため、全体としてバランスが取れ、被加工材に形成される深孔の断面が三角形状になりにくく、真円形状に近くなる。
（２）深孔加工中において、第１，第２ガイドパッドが加工済みの深孔の内壁面に接触して外側向きの力を受けても、第３，第４ガイドパッドが回転中心向きの力を受けるため、全体としてバランスが取れ、被加工材に形成される深孔の断面が五角形状になりにくく、真円形状に近くなる。
（３）上記（１）および（２）が相まって、深孔加工中における不安定な振動を格段に低減することができる。
（４）上記（１）乃至（３）によって、被加工材に断面が真円形に近似した断面となり、且つ軸方向に沿って直線状の深孔を確実に形成することが可能となる。
【０００８】
尚、前記工具本体は、例えば、機械構造用鋼（ＳＣ鋼種）などからなり、前記先端面と後端面との間に切削油および切削屑を排出するための貫通孔が軸方向に沿って貫通している。
また、前記切刃は、例えば、超硬（ＷＣ）からなる単一の細長いチップからなる形態の他、前記先端面の直径および加工すべき深孔の内径が比較的大径である場合には、後述するように、上記先端面の径方向に沿った当該先端面の中心および周辺を含む位置に３個以上のチップを直線状に配置した形態としても良い。  
また、前記切刃の位置は、被加工材を切削する刃面の径方向に沿った辺である。
更に、前記ガイドパッドは、例えば、超硬（ＷＣ）からなり、前記工具本体の先端面の周辺と該工具本体の円周面との間にわたり且つ軸方向に沿って形成された凹溝内に板形状の基部が挿入され、且つ円周方向の両側に隣接する上記工具本体の円周面と相似形状の湾曲面を当該円周面よりも外側に突出するように、例えば、複数のボルトなどによって固定される。
加えて、前記ボーリングバーおよび深孔加工用先端工具によって、深孔が形成される被加工材は、例えば、石油などの掘削に用いられる長尺なパイプを得るため、円周面（表面）側を温間鍛造などにより硬化処理されたオーステナイト系のステンレス鋼からなる長尺（例えば、約１０００ｃｍ）な丸棒が挙げられる。
【０００９】
また、本発明には、前記第３ガイドパッドは、前記工具本体の先端面の回転中心から前記切刃の位置を０度とした際に、該切刃の切削力を受ける向きにおいて、２２１〜２３０度回転した位置に配置されている、深孔加工用先端工具（請求項２）も含まれる。
これによれば、前述した第１〜第４ガイドパッドが受ける力全体のバランスが一層取り易くなるので、前記効果（１）〜（４）を確実に得ることが可能となる。
【００１０】
更に、本発明には、前記工具本体の先端面には、前記切刃を除いた位置に、前記切削油および切削屑を排出するための貫通孔に連通する単数あるいは複数の開口部が位置している、深孔加工用先端工具（請求項３）も含まれる。
これによれば、被加工材に形成された深孔と前記工具本体の外周面との隙間から強制的に圧送された切削油を切削屑と共に、該工具本体の先端面に開口した単数または複数の開口部から連通する前記貫通孔に送給して、前記ボーリングバーの内部からその基部側に確実に排出できる。従って、前記効果（４）における深孔の真円度を損なう事態を防止することが可能となる。
【００１１】
加えて、本発明には、前記切刃は、前記工具本体の先端面の回転中心を含む中央側チップと、前記先端面の周辺から一部が外側に突出する外周側チップと、該外周側チップとは上記先端面の回転中心を挟んだ反対側の中間位置に配置され且つ上記各チップと前記径線に沿って直線状に配置された中間チップとから構成されている、深孔加工用先端工具（請求項４）も含まれる。
これによれば、前記工具本体の直径が比較的大径（例えば、約６０ｍｍ）の場合であっても、該本体の先端面における回転中心から周辺に沿った半径方向において、被加工材を該先端面全体の回転により確実に深孔加工することができる。
しかも、単一のチップからなる切刃に比べて、切削抵抗を低減できると共に、前記切削油を切削屑と共に前記工具本体の後端側に通過させる貫通孔の開口部を複数（２箇所以上）の位置に開設できるので、上記切削油および切削屑の回収もスムーズに行わせることも可能となる（効果（５））。
【図面の簡単な説明】
【００１２】
【図１】本発明による一形態の深孔加工用先端工具を示す平面図。
【図２】（Ａ）は図１中の矢印Ａ方向に沿った側面図、（Ｂ）は図１中の矢印Ｂ方向に沿った側面図。
【図３】上記深孔加工用先端工具の使用状態を示す概略図。
【図４】実施例および比較例の先端工具により形成される深孔の真円度を示すグラフ。
【図５】実施例および比較例の先端工具における振動数に対する変位量を示すグラフ。
【図６】実施例および比較例の先端工具による加工長さに伴う変心量を示すグラフ。
【図７】異なる形態の深孔加工用先端工具を示す平面図。
【図８】（Ａ）は図７中の矢印Ａ方向に沿った側面図、（Ｂ）は図７中の矢印Ｂ方向に沿った側面図。
【発明を実施するための形態】
【００１３】
以下において、本発明を実施するための形態について説明する。
図１は、本発明による一形態の深孔加工用先端工具１ａを示す平面図、図２（Ａ）は、図１中の矢印Ａ方向に沿った側面図、図２（Ｂ）は、図１中の矢印Ｂ方向に沿った側面図である。
深孔加工用先端工具１ａは、図１，図２（Ａ），（Ｂ）に示すように、全体が円柱形状を呈する工具本体２と、該工具本体２の先端面３に取り付けられた３個の切刃５ａ〜５ｃと、前記先端面３の周辺と工具本体２の円周面（側面）とにわたって配置された第１〜第４ガイドパッド６ａ〜６ｄとを備えている。
上記工具本体２は、例えば、機械構造用鋼などからなり、上記先端面３は、その回転中心（中心）Ｃを頂点として緩くカーブする円弧面である。
【００１４】
また、前記切刃５ａ〜５ｃは、例えば、超硬（ＷＣ）からなり、前記先端面３の回転中心Ｃを刃面に含む中央側チップ５ｂと、先端面３の周辺から一部が外側に突出する外周側チップ５ａと、該外周側チップ５ａとは先端面３の回転中心Ｃを挟んだ反対側の中間位置に配置され且つ上記チップ５ａ，５ｂと直線状に配置された中間チップ５ｃとから構成されている。即ち、かかるチップ５ａ〜５ｃは、前記先端面３において、その回転中心Ｃを通過する共通の直線上に被加工材を切削するそれぞれの刃面が配置され、且つこれら３個の合計で上記先端面３の半径よりも若干長くなる切刃を構成している。そのため、中間チップ５ｃの刃面は、外周側チップ５ａおよび中央側チップ５ｂの刃面とは逆向きに配置されている。
以上のような３個のチップ５ａ〜５ｃからなる切刃５ａ〜５ｃを用いることで、前記工具本体２の直径および被加工材に穿設する深孔の内径が、例えば、５０〜６０ｍｍ以上の大径であっても、切削抵抗を効果的に低減できると共に、前記先端面３のほぼ全体で均一な切削が容易に行える。
尚、前記チップ５ａ〜５ｃには、取り替えが容易なスローアウェイチップが好適に用いられる。
【００１５】
更に、前記第１〜第４ガイドパッド６ａ〜６ｄは、前記同様の超硬からなり、全体が扁平な直方体形状を呈し、且つ外周面が前記工具本体２の円周面と同様に外向きに凸となる湾曲面を有している。かかる第１〜第４ガイドパッド６ａ〜６ｄは、工具本体２の円周面にその軸方向に沿って形成された凹溝内に、上記湾曲面側を除いた大半の部分が嵌め込まれ、図示しない複数のボルトで固定される。
図１に示すように、前記工具本体２の先端面３において、回転中心Ｃから前記切刃５ａ〜５ｃの刃面を通過する仮想の径線の位置を０度とした際に、該切刃５ａ〜５ｃの切削力を受ける向き（方向）において、９０度±１０度回転した位置（角度θ１）に第１ガイドパッド６ａを、１８０度±１０度回転した位置（角度θ２）に第２ガイドパッド６ｂを、２２０度±１０度回転した位置（角度θ３）に第３ガイドパッド６ｃを、２７０度±１０度回転した位置（角度θ４）に第４ガイドパッド６ｄを配置している。
因みに、図１では、第１ガイドパッド６ａの位置θ１は９０度、第２ガイドパッド６ｂの位置θ２は１８０度、第３ガイドパッド６ｃの位置θ３は２２５度、第４ガイドパッド６ｄの位置θ４は２７０度であるが、これらに限られない。
【００１６】
本発明の深孔加工用先端工具１ａにおいて、前記第１〜第４ガイドパッド６ａ〜６ｄを前記のような各位置ごとに配置したのは、次のような理由による。
従来から周知（前記特許文献１）であった前記θ１，θ２，θ４の位置ごとに３個のガイドパッドを配置した深孔加工用先端工具では、被加工材に深孔加工した際に、径方向に沿って振動し且つ軸方向に沿って変位するため、形成される深孔の断面がほぼ三角形状ないしほぼ五角形状になる場合が多々あった。
また、前記特許文献２のように、３個のガイドパッドを配置する際に、第１，第２ガイドパッドを前記θ１，θ２ごとに配置すると共に、第３ガイドパッドを１８１度〜２２０度の範囲内位置に配置することにより、真円性の向上を図った先端工具を提案されているが、３個であることよる限界が残っていた。
【００１７】
発明者は、被加工材に深孔加工した際に、径方向に沿った振動および軸方向に沿った変位を確実に低減するため、４個のガイドパッドを用い、且つ第１〜第４ガイドパッド６ａ〜６ｄの配置すべき位置を前記θ１〜θ４に個別に規定した。
そのため、深孔加工中に第１〜第３ガイドパッド６ａ〜６ｃが加工済みの深孔の内壁面に接触して外側向きの力を受けても、第４ガイドパッド６ｄが回転中心Ｃ向きの力を受けるため、全体としてバランスが取れ、被加工材に形成される深孔の断面が三角形状になりにくく、真円形状になる（効果（１））、ものと考えられる。
更に、深孔加工中に第１，第２ガイドパッド６ａ，６ｂが加工済みの深孔の内壁面に接触して外側向きの力を受けても、第３，第４ガイドパッド６ｃ，６ｄが回転中心Ｃ向きの力を受けるため、全体としてバランスが取れ、被加工材に形成される深孔の断面が五角形状になりにくく、真円形状になる（効果（２））、ものと考えられる。
以上のような観点の理由は、追って実施例によって具体的に説明する。
【００１８】
加えて、図１，図２（Ａ），（Ｂ）に示すように、前記工具本体２の先端面３において、前記切刃５ａ〜５ｃおよび第１〜第４ガイドパッド６ａ〜６ｄの挿入用凹部ごとを除いた位置に、２つ（複数）の開口部８，９が開設され、かかる開口部８，９は、工具本体２の後端４側を軸方向の中心に沿って貫通している貫通孔７に連通するように集束している。
即ち、図３の概略図で示すように、大型の旋盤（図示せず）に両端部を拘束されて高速回転する丸棒の被加工材Ｗに対し、その一端面から長尺なボーリングヘッド１０の先端に前記深孔加工用先端工具１ａを取り付け、これらを被加工材Ｗにおける中心部の軸方向に沿って順次押し込むことで、深孔加工が行われる。
上記ボーリングヘッド１０の中心部には、長尺な貫通孔１１が位置し、該貫通孔１１と上記先端工具１ａ側の貫通孔７とが連通している。上記先端工具１ａの工具本体２およびボーリングヘッド１０と被加工材Ｗに形成される深孔の内周面との隙間には、図３で右側から切削油が上記先端工具１ａの先端面３側に高圧によって供給される。かかる切削油は、前記切刃（チップ）５ａ〜５ｃにおいて切削された切削屑と共に、先端面３の前記開口部８，９から貫通孔７，１１を経て図３の右側（外部）に排出される。
尚、排出された上記切削油は、篩いおよび磁気フイルタを通過することによって、切削屑を除去された後、再利用される。
【実施例】
【００１９】
以下において、本発明の実施例について、比較例と共に説明する。
予め、オーステナイト系ステンレス鋼（ＪＩＳ：ＳＵＳ３０４相当）からなり、表面を温間鍛造により硬化処理した直径１２ｃｍで長さが１０００ｃｍの丸棒の被加工材Ｗを２本用意し、順次これらの両端部を大型旋盤に回転可能に拘束した。
上記の被加工材Ｗの軸方向において、直径５６ｍｍで長さが１０００ｃｍのボーリングバー１０の先端に、予め、３個のスローアウェイチップからなる前記切刃５ａ〜５ｃを配置した、直径６７ミリの工具本体２およびを取り付け、第１〜第４ガイドパッド６ａ〜６ｄを以下の位置に配置した実施例の深孔加工用先端工具１ａを用意した。
実施例の第１ガイドパッド６ａの位置θ１は９０度、第２ガイドパッド６ｂの位置θ２は１８０度、第３ガイドパッド６ｃの位置θ３は２２１度、第４ガイドパッド６ｄの位置θ４は２７０度とした。
一方、上記と同じボーリングバー１０の先端に、前記同様の切刃５ａ〜５ｃを含む直径６７ミリの工具本体２を取り付け、且つ第１，第２，第４ガイドパッド６ａ，６ｂ，６ｄを以下の位置配置した比較例の深孔加工用先端工具を用意した。
比較例の第１ガイドパッド６ａの位置θ１は９０度、第２ガイドパッド６ｂの位置θ２は１８０度、第４ガイドパッド６ｄの位置θ４は２７０度である（前記第３ガイドパッド６ｃを除いた形態で且つ前記特許文献１に記載のものと同じ）。
【００２０】
１本の前記被加工材Ｗを円周方向に２４０ｒｐｍの回転数で回転させると共に、前記ボーリングバー１０および実施例の深孔加工用先端工具１ａを被加工材Ｗの軸方向に沿って毎分３８ｍｍの送り速度で該被加工材Ｗの中心軸に沿って進入させることによって、内径が６８ｍｍの深孔を得る深孔加工を行った（実施例）。
更に、残りの前記被加工材Ｗを上記と同じ回転数で回転させると共に、前記ボーリングバー１０および比較例の深孔加工用先端工具を被加工材Ｗの軸方向に沿って上記と同じ送り速度で該被加工材Ｗの中心軸に沿って進入させることによって、内径が６８ｍｍの深孔を得る深孔加工を行った（比較例）。
【００２１】
実施例の深孔加工用先端工具１ａおよび比較例の深孔加工用先端工具を用いた深孔加工された２本の被加工材Ｗについて、それぞれ切削が開始された端面から１００ｍｍの位置で切断し、かかる切断面ごとに現れる深孔の内周面に対し、接触式センサーを有する真円測定機を用いて、真円度を個別に測定し、それらの結果を、図４の円グラフ中に示した。
図４に示すように、実線で示す実施例の接触軌跡（真円度）は、一点鎖線で示す架空の真円形に対し、全周においてほぼ近似していた。一方、図４中で破線で示す比較例の接触軌跡（真円度）は、ほぼ三角形状で且つ一点鎖線の真円形に対し、大きく逸脱していた。かかる結果よれば、実施例による深孔加工は、比較例による深孔加工よりも真円性において優れていることが判明した。
【００２２】
また、前記深孔加工中において、実施例の深孔加工用先端工具１ａおよび比較例の深孔加工用先端工具を用いた深孔加工している２本の被加工材Ｗの周面における垂直方向および水平方向の振動による径方向の変位を、被加工材Ｗごとの軸方向のほぼ全長に沿って測定し、上記２方向の変位と被加工材Ｗにおける軸方向の距離（長さ）とからなる２つの基グラフを得た。
上記２つの基グラフを公知のＦＦＴ解析（フーリエ解析）することで、振動の周波数別（周波数スペクトル）の変位を示すグラフ（周波数−変位）を、実施例と比較例とについて得た。それらの結果を図５のグラフに示した。尚、図５のグラフ中で、破線の比較例は、低い変位量では実線の実施例とほぼ重なっていた。
図５に示すように、実線で示す実施例では、振動が約１６Ｈｚの周波数において変位のピーク７．７６μｍが現れたのに対し、破線で示す比較例では、振動が約３５Ｈｚの周波数において変位のピーク１１．９２μｍが現れた。従って、図５中の白抜き矢印で示すように、実施例による深孔加工は、振動の周波数および変位量の双方において、比較例による深孔加工よりも優れていることが判明した。
【００２３】
更に、実施例の深孔加工用先端工具１ａおよび比較例の深孔加工用先端工具を用いた深孔加工した２本の前記被加工材Ｗを、それぞれ切削が開始された端面から５０ｃｍごとに順次切断し、加工長さ別における変位量を測定した。それらの結果を、図６のグラフに示した。
図６に示すように、実施例による深孔加工では、加工長さが７００ｃｍに達した際に約４．５ｍｍの変位量であったの対し、比較例による深孔加工では、加工長さが２５０ｃｍに達した際に既に約４．２ｍｍの変位量となっていた。かかる結果から、実施例による深孔加工によれば、直進性に優れていることが判明した。
前記図４〜図６に示した実施例の深孔加工によって、前記深孔加工用先端工具１ａによる前記効果（１）〜（４）が裏付けられたことが容易に理解されよう。
【００２４】
図７は、異なる形態の深孔加工用先端工具１ｂを示す平面図、図８（Ａ），（Ｂ）は、図７中の矢印Ａ方向または矢印Ｂ方向に沿った側面図である。
上記深孔加工用先端工具１ｂは、図７，図８（Ａ），（Ｂ）に示すように、前記同様の先端面３を含む工具本体２と、前記同様の位置θ１〜θ４に個別に配置された第１〜第４ガイドパッド６ａ〜６ｄとを備え、先端面３の回転中心Ｃから半径方向に沿って単一の切刃５が取り付けられている。かかる切刃５を除いた上記先端面３には、単一の開口部８が開口し、該開口部８は、後端４側の貫通孔７に連通している。かかる深孔加工用先端工具１ｂは、工具本体２の直径が、例えば、４０〜３０ｃｍ以下の比較的小径のものに好適である。
以上のような深孔加工用先端工具１ｂによっても、前記効果（１）〜（４）と同様の効果を奏することが可能である。
【００２５】
本発明は、以上において説明した各形態や実施例に限定されるものではない。
例えば、前記切刃は、５個のチップからなるものとし、前記先端面３の中心Ｃ付近の中央側チップ、周辺側の外周側チップ、およびこれらの間に位置する中間チップと、前記外周側チップの径方向の反対側に位置し且つ半径方向で上記３つのチップ間ごとにほぼ位置する２つの中間チップとからなる形態としても良い。
また、前記切刃５，５ａ〜５ｃと第１〜第４ガイドパッド６ａ〜６ｄは、前記超硬に限らず、サーメットからなるものや、部分安定化ジルコニアのようなファインセラミックからなるものとしても良い
更に、第１〜第４ガイドパッド６ａ〜６ｄの底部側を受け入れる前記工具本体２の凹部は、底面の幅が開口部の幅よりも広い底広凹溝としても良い。
加えて、前記工具本体２の先端面３に開口し且つ前記貫通孔７に連通する開口部は、３箇所以上としても良い。
【産業上の利用可能性】
【００２６】
本発明によれば、深孔加工中に本先端工具やボーリングバーによる不安定な振動を格段に低減でき、且つ被加工材に形成される深孔の断面を真円形に確実に近似させられる深孔加工用先端工具を確実に提供できる。
【符号の説明】
【００２７】
１ａ，１ｂ………深孔加工用先端工具
２…………………工具本体
３…………………先端面
５，５ａ〜５ｃ…切刃
６ａ〜６ｄ………ガイドパッド
７…………………貫通孔
８，９……………開口部
１０………………ボーリングバー
Ｃ…………………回転中心
Ｗ…………………被加工材
θ１〜θ４………角度（位置）
【図１】
0006543956.tif 000002
【図２】
0006543956.tif 000003
【図３】
0006543956.tif 000004
【図４】
0006543956.tif 000005
【図５】
0006543956.tif 000006
【図６】
0006543956.tif 000007
【図７】
0006543956.tif 000008
【図８】
0006543956.tif 000009